(57)【要約】【課題】本発明は、通信ネットワークを介して、外出先から自宅のパーソナルコンピュータ等の端末にアクセスするときに、外出先の接続環境に応じてコンテンツを選別して提供することができるコンテンツ提供システムを提供する。【解決手段】格納されているコンテンツをネットワークを介して端末に提供するコンテンツ提供システムを構成するコンテンツ提供装置であって、コンテンツを格納する記憶手段と、端末の接続端末情報を受信する受信手段と、受信した接続端末情報に基づいて、あらかじめ定められた提供コンテンツ管理情報を参照して、記憶手段に格納されているコンテンツの中から、端末がアクセスできる提供コンテンツを決定する提供コンテンツ決定手段と、端末から提供コンテンツにアクセスするための提供コンテンツ情報を作成する提供コンテンツ情報作成手段と、提供コンテンツ情報を端末に送信する送信手段とを備える。【選択図】図１
2008305224.tif 000002
【特許請求の範囲】
【請求項１】
コンテンツ提供装置に格納されたコンテンツをネットワークを介して端末に提供するコンテンツ提供システムを構成する前記コンテンツ提供装置であって、
前記コンテンツを格納する記憶手段と、
前記端末の接続端末情報を受信する受信手段と、
受信した前記接続端末情報に基づいて、あらかじめ定められた提供コンテンツ管理情報を参照して、前記記憶手段に格納されている前記コンテンツの中から、前記端末がアクセスできる提供コンテンツを決定する提供コンテンツ決定手段と、
前記端末から前記提供コンテンツにアクセスするための提供コンテンツ情報を作成する提供コンテンツ情報作成手段と、
前記提供コンテンツ情報を前記端末に送信する送信手段と
を備えたことを特徴とするコンテンツ提供装置。
【請求項２】
前記接続端末情報は、
前記ネットワーク上における前記端末の物理的な位置を示す端末固有の情報であることを特徴とする請求項１記載のコンテンツ提供装置。
【請求項３】
前記提供コンテンツ管理情報は、
前記コンテンツを識別するためのコンテンツ識別情報と前記コンテンツを提供する範囲を示す提供種別情報とが対応づけられている提供コンテンツ管理テーブルと、
前記接続端末情報と前記提供種別情報とが対応づけられている接続端末情報管理テーブルとから構成されていることを特徴とする請求項１または２記載のコンテンツ提供装置。
【請求項４】
前記コンテンツ識別情報は、
少なくとも前記コンテンツのコンテンツ名と前記記憶手段における前記コンテンツの格納場所を示すアクセスパスとを含むことを特徴とする請求項３記載のコンテンツ提供装置。
【請求項５】
前記提供コンテンツ情報作成手段は、
前記提供コンテンツについて、前記コンテンツ識別情報から前記提供コンテンツ情報を作成することを特徴とする請求項１ないし４のいずれか１に記載のコンテンツ提供装置。
【請求項６】
コンテンツ提供装置に格納されたコンテンツをネットワークを介して端末に提供するコンテンツ提供システムを構成する前記コンテンツ提供装置であって、
提供フォルダを作成し、前記コンテンツと前記コンテンツを提供する範囲を示す提供種別情報とを対応づけて前記提供フォルダに格納する提供フォルダ設定手段と、
前記端末の接続端末情報を受信する受信手段と、
受信した前記接続端末情報に基づいて、あらかじめ定められた提供コンテンツ管理情報から、前記端末がアクセスできるコンテンツの範囲を示す前記提供種別情報を取得するコンテンツ提供種別取得手段と、
前記提供種別情報に基づいて、前記提供フォルダを変更する提供フォルダ変更手段と、
前記提供フォルダの情報を前記端末に送信する送信手段と
を備えたことを特徴とするコンテンツ提供装置。
【請求項７】
前記提供フォルダ変更手段は、
前記端末がアクセス可能なコンテンツの情報は表示し、それ以外のコンテンツの情報は非表示とする変更を行なうことを特徴とする請求項６記載のコンテンツ提供装置。
【請求項８】
コンテンツ提供装置に格納されたコンテンツをネットワークを介して端末に提供するコンテンツ提供方法であって、
記憶手段が、前記コンテンツを格納するステップと、
受信手段が、前記端末の接続端末情報を受信するステップと、
提供コンテンツ決定手段が、受信した前記接続端末情報に基づいて、あらかじめ定められた提供コンテンツ管理情報を参照して、前記記憶手段に格納されている前記コンテンツの中から、前記端末がアクセスできる提供コンテンツを決定するステップと、
提供コンテンツ情報作成手段が、前記端末から前記提供コンテンツにアクセスするための提供コンテンツ情報を作成するステップと、
送信手段が、前記提供コンテンツ情報を前記端末に送信するステップと
を有することを特徴とするコンテンツ提供方法。
【請求項９】
コンテンツ提供装置に格納されたコンテンツをネットワークを介して端末に提供するコンテンツ提供方法であって、
提供フォルダ設定手段が、提供フォルダを作成し、前記コンテンツと前記コンテンツを提供する範囲を示す提供種別情報とを対応づけて前記提供フォルダに格納するステップと、
受信手段が、前記端末の接続端末情報を受信するステップと、
コンテンツ提供種別取得手段が、受信した前記接続端末情報に基づいて、あらかじめ定められた提供コンテンツ管理情報から、前記端末がアクセスできるコンテンツの範囲を示す前記提供種別情報を取得するステップと、
提供フォルダ変更手段が、前記提供種別情報に基づいて、前記提供フォルダを変更するステップと、
送信手段が、前記提供フォルダの情報を前記端末に送信するステップと
を有することを特徴とするコンテンツ提供方法。
【発明の詳細な説明】
【技術分野】
【０００１】
本発明は、ユーザがインターネット等の通信ネットワークを介して、外出先から自宅のパーソナルコンピュータ等の情報処理装置に格納されているコンテンツにアクセスするとき、当該アクセスに対するコンテンツの提供を管理するコンテンツ提供システムおよびコンテンツ提供方法に関する。
【背景技術】
【０００２】
従来から、ユーザがインターネット等の通信ネットワークを介して、外出先から自宅のパーソナルコンピュータ等の情報処理装置に格納されているコンテンツにアクセスするとき、格納されているコンテンツの中から、当該アクセスで使用されるユーザＩＤに応じて、コンテンツを選別して提供する様々な方法が知られている。
【０００３】
例えば、ユーザが自宅のパーソナルコンピュータに対して、あらかじめログイン可能な複数のユーザＩＤを設定し、さらに、それぞれのユーザＩＤからアクセス可能なコンテンツをまとめたフォルダをユーザＩＤごとに作成しておき、それぞれのユーザＩＤが決められたフォルダだけにアクセスできるように設定しておく。ユーザは、あらかじめ設定しておいたログイン可能な複数のユーザＩＤの中から、公共の場所や友人宅等といった様々な外出先の接続環境に応じて最適なユーザＩＤを使用してログインする。このような方法により、ユーザＩＤに応じてアクセス可能なコンテンツを選別して提供することができる。
【０００４】
また、特許文献１には、ホームサーバに格納されている複数のコンテンツに対して、あらかじめ提供する範囲を示すレベルを設定しておき、さらに、ホームサーバにアクセスする複数のユーザＩＤに対しても同様にレベルを設定しておく。端末からユーザＩＤを使用してホームサーバにアクセスをすると、ユーザＩＤのレベルに応じてコンテンツが選別されて端末に提供されるコンテンツ提供方法が開示されている。
【０００５】
【特許文献１】特開２００４−２５９０７１号公報
【発明の開示】
【発明が解決しようとする課題】
【０００６】
ログイン可能な複数のユーザＩＤを設定し、ユーザＩＤごとに異なるフォルダを作成する方法では、フォルダをユーザＩＤの数だけ作成しなければならず、非常に手間がかかる。さらに、ユーザが設定した複数のユーザＩＤを記憶して、外出先の接続環境に応じて使い分けをすることは非常に煩雑である。
【０００７】
また、ユーザＩＤによってコンテンツを選別して提供する方法では、ユーザの成りすましによる不正なアクセスを防ぐことはできない。
【０００８】
そこで、本発明は、通信ネットワークを介して、ユーザが外出先から自宅のパーソナルコンピュータ等の情報処理装置にアクセスするとき、ユーザＩＤによらずに、外出先の接続環境に応じてコンテンツを選別して提供することができるコンテンツ提供装置およびコンテンツ提供方法を提供することを目的とする。
【課題を解決するための手段】
【０００９】
本発明の第１のコンテンツ提供装置は、コンテンツ提供装置に格納されたコンテンツをネットワークを介して端末に提供するコンテンツ提供システムを構成する前記コンテンツ提供装置であって、前記コンテンツを格納する記憶手段と、前記端末の接続端末情報を受信する受信手段と、受信した前記接続端末情報に基づいて、あらかじめ定められた提供コンテンツ管理情報を参照して、前記記憶手段に格納されている前記コンテンツの中から、前記端末がアクセスできる提供コンテンツを決定する提供コンテンツ決定手段と、前記端末から前記提供コンテンツにアクセスするための提供コンテンツ情報を作成する提供コンテンツ情報作成手段と、前記提供コンテンツ情報を前記端末に送信する送信手段とを備えたことを特徴とする。
【００１０】
本発明の第１のコンテンツ提供方法は、コンテンツ提供装置に格納されたコンテンツをネットワークを介して端末に提供するコンテンツ提供方法であって、提供フォルダ設定手段が、提供フォルダを作成し、前記コンテンツと前記コンテンツを提供する範囲を示す提供種別情報とを対応づけて前記提供フォルダに格納するステップと、受信手段が、前記端末の接続端末情報を受信するステップと、コンテンツ提供種別取得手段が、受信した前記接続端末情報に基づいて、あらかじめ定められた提供コンテンツ管理情報から、前記端末がアクセスできるコンテンツの範囲を示す前記提供種別情報を取得するステップと、提供フォルダ変更手段が、前記提供種別情報に基づいて、前記提供フォルダを変更するステップと、送信手段が、前記提供フォルダの情報を前記端末に送信するステップとを有することを特徴とする。
【００１１】
本発明の第２のコンテンツ提供装置は、コンテンツ提供装置に格納されたコンテンツをネットワークを介して端末に提供するコンテンツ提供システムを構成する前記コンテンツ提供装置であって、提供フォルダを作成し、前記コンテンツと前記コンテンツを提供する範囲を示す提供種別情報とを対応づけて前記提供フォルダに格納する提供フォルダ設定手段と、前記端末の接続端末情報を受信する受信手段と、受信した前記接続端末情報に基づいて、あらかじめ定められた提供コンテンツ管理情報から、前記端末がアクセスできるコンテンツの範囲を示す前記提供種別情報を取得するコンテンツ提供種別取得手段と、前記提供種別情報に基づいて、前記提供フォルダを変更する提供フォルダ変更手段と、前記提供フォルダの情報を前記端末に送信する送信手段とを備えたことを特徴とする。
【００１２】
本発明の第２のコンテンツ提供方法は、コンテンツ提供装置に格納されたコンテンツをネットワークを介して端末に提供するコンテンツ提供方法であって、提供フォルダ設定手段が、提供フォルダを作成し、前記コンテンツと前記コンテンツを提供する範囲を示す提供種別情報とを対応づけて前記提供フォルダに格納するステップと、受信手段が、前記端末の接続端末情報を受信するステップと、コンテンツ提供種別取得手段が、受信した前記接続端末情報に基づいて、あらかじめ定められた提供コンテンツ管理情報から、前記端末がアクセスできるコンテンツの範囲を示す前記提供種別情報を取得するステップと、提供フォルダ変更手段が、前記提供種別情報に基づいて、前記提供フォルダを変更するステップと、送信手段が、前記提供フォルダの情報を前記端末に送信するステップとを有することを特徴とする。
【発明の効果】
【００１３】
本発明によれば、通信ネットワークを介して、ユーザが外出先から自宅のパーソナルコンピュータにアクセスするとき、ユーザＩＤごとにフォルダを作成する必要がなく、外出先の接続環境に応じてコンテンツを選別して提供することができる。さらに、本発明によれば、ユーザＩＤによらずにコンテンツを選別し提供することができるため、ユーザの成りすましによる不正なアクセスを防止することができる。
【発明を実施するための最良の形態】
【００１４】
以下、図面を参照して本発明を実施するための最良の形態について詳細に説明する。
【００１５】
図１は、本発明の実施の形態のコンテンツ提供システムの構成を説明するためのブロック図である。図１を参照すると、本発明の実施の形態のコンテンツ提供システムは、ユーザの自宅にコンテンツ提供装置１０とルータ１１が、外出先（友人宅）に端末２０とルータ２１が、さらに別の外出先（親戚宅）に端末３０とルータ３１が備えられており、それぞれのルータはネットワーク４０、例えば公衆回線を介して互いに接続されている。
【００１６】
コンテンツ提供装置１０は、ビデオカメラで撮影した動画像コンテンツ、テレビ放送を録画した動画像コンテンツ、デジタルカメラで撮影した静止画像コンテンツ、音楽ＣＤから作成した音声コンテンツ等の様々なコンテンツを格納しており、ユーザが、外出先、例えば友人宅にある端末２０からネットワーク４０を介して自宅のコンテンツ提供装置１０に格納されているコンテンツにアクセスするとき、コンテンツ提供装置１０は端末２０からアクセス可能なコンテンツのみを端末２０に提供する。端末２０は、コンテンツ提供装置１０に格納されている様々なコンテンツのうち、提供されたコンテンツのみにアクセスすることができる。
【００１７】
図２は、本発明の第１の実施の形態のコンテンツ提供装置１０の構成を説明するためのブロック図である。図２を参照すると、本発明の第１の実施の形態のコンテンツ提供装置１０は、制御手段１０１、受信手段１０２、送信手段１０３および記憶手段１０４を備え、パーソナルコンピュータ等により構成される。受信手段１０２は、ネットワーク４０を介して外出先の端末からの接続要求を受信するためのものであり、送信手段１０３は、提供するコンテンツ情報をネットワーク４０を介して外出先の端末に送信するためのものである。
【００１８】
記憶手段１０４は、ビデオカメラで撮影した動画像コンテンツ、テレビ放送を録画した動画像コンテンツ、デジタルカメラで撮影した静止画像コンテンツ、音楽ＣＤから作成した音声コンテンツ等の様々なコンテンツを格納するものであり、ハードディスクやメモリ等の記憶媒体で構成される。
【００１９】
制御手段１０１は、提供コンテンツ決定手段１０１ａと提供コンテンツ情報作成手段１０１ｂとを備える。なお、制御手段１０１の各部の機能および動作については後述する。
【００２０】
図３ないし図６を用いて、本発明の第１の実施の形態のコンテンツ提供システムの動作について、図面を参照して説明する。図３は、本発明の第１の実施の形態のコンテンツ提供システムの動作を説明するための流れ図である。図４は、本発明の実施の形態のコンテンツ提供システムにおける接続端末情報管理テーブルについて説明するための図である。図５は、本発明の第１の実施の形態のコンテンツ提供システムにおける提供コンテンツ管理テーブルについて説明するための図である。図６は、本発明の第１の実施の形態のコンテンツ提供システムにおける提供コンテンツ情報を説明するための図である。
【００２１】
まず、図３を参照して、端末２０からコンテンツ提供装置１０の記憶手段１０４に格納されているコンテンツにアクセスするときの流れを説明する。
【００２２】
あらかじめ、コンテンツ提供装置１０において、ユーザが外出先で使用する可能性がある端末と、当該端末からアクセス可能なコンテンツの範囲を示す提供種別とを関連付けた接続端末情報管理テーブルを生成しておく。図４を参照すると、接続端末情報管理テーブルには、ネットワーク上における端末の物理的な位置を示す端末固有の情報である接続端末情報、例えばＭＡＣアドレスと、当該端末からアクセス可能なコンテンツの範囲を示す提供種別、等のデータが含まれている。提供種別が登録されていない端末に対しては、コンテンツを提供しない、もしくは、あらかじめ提供するコンテンツを初期値として設定しておいてもよい。
【００２３】
さらに、コンテンツ提供装置１０において、記憶手段１０４に格納されている様々なコンテンツと、当該コンテンツを提供する範囲を示す提供種別とを関連付けた提供コンテンツ管理テーブルを生成しておく。図５を参照すると、提供コンテンツ管理テーブルには、格納されているコンテンツ情報、例えばコンテンツ名や記憶手段１０４における当該コンテンツの格納場所を示すアクセスパスと、当該コンテンツを提供する範囲を示す提供種別等のデータが含まれている。なお、提供種別が登録されていないコンテンツは、提供しないコンテンツとしてあらかじめ設定しておいてもよい。
【００２４】
まず、端末２０は、コンテンツ提供装置１０に格納されているコンテンツに対してアクセス要求を送信する（ステップS３０１）。コンテンツ提供装置１０において、受信手段１０２が端末２０からのアクセス要求を受信すると（ステップS３０２）、制御手段１０１が端末２０に対してＭＡＣアドレス等を含む接続端末情報の通知を要求する（ステップS３０３）。
【００２５】
端末２０は、コンテンツ提供装置１０からの接続端末情報の通知要求を受信すると（ステップS３０４）、ＭＡＣアドレス等の自身の接続端末情報を取得して（ステップＳ３０５）、コンテンツ提供装置１０に対して送信する（ステップS３０６）。このとき、接続端末情報としてＭＡＣアドレスを使用する場合は、ネットワーク設定情報を取得するコマンド（例えば、ＡＲＰコマンドやｉｐｃｏｎｆｉｇコマンド）を使用して自身のＭＡＣアドレスを取得するようにしてもよい。
【００２６】
コンテンツ提供装置１０において、受信手段１０２が端末２０から接続端末情報を受信すると（ステップS３０７）、提供コンテンツ決定手段１０１ａが、接続端末情報管理テーブルを参照して、受信した接続端末情報に対応する提供種別を取得し、取得した提供種別に基づいてコンテンツ管理テーブルを参照して、格納されているコンテンツのうち、端末２０に対して提供可能なコンテンツを決定する（ステップＳ３０８）。
【００２７】
例えば、提供コンテンツ決定手段１０１ａは、端末２０の接続端末情報がＭＡＣアドレス“ＹＹ−ＹＹ−ＹＹ−ＹＹ−ＹＹ−ＹＹ”であるとき、接続端末情報管理テーブルを参照して、提供種別“Ｂ”を取得し（図４参照）、次に提供コンテンツ管理テーブルを参照して、取得した提供種別“Ｂ”に基づいて、コンテンツ２、コンテンツ４およびコンテンツ５が端末２０に対して提供可能なコンテンツであると決定する（図５参照）。
【００２８】
次に、提供コンテンツ情報作成手段１０１ｂは、提供コンテンツ決定手段１０１ａにより決定された提供可能なコンテンツについて、コンテンツ名および当該コンテンツへのアクセスパスを含む提供コンテンツ情報を作成する（ステップＳ３０９）。これにより、図６に示されるように、提供コンテンツ情報として、提供種別“Ｂ”をもつ端末２０に対して提供可能なコンテンツの一覧が作成される。
【００２９】
送信手段１０３は、作成された提供コンテンツ情報を端末２０に送信する（ステップＳ３１０）。端末２０は提供コンテンツ情報を受信すると（ステップＳ３１１）、提供コンテンツ情報を表示手段（不図示）に表示する。ユーザは、提供コンテンツ情報として表示された提供コンテンツの一覧の中から所望のコンテンツを選択してアクセスすることができる（ステップＳ３１２）。
【００３０】
このように、本発明の第１の実施の形態のコンテンツ提供システムによれば、通信ネットワークを介して、ユーザが外出先から自宅のパーソナルコンピュータにアクセスするとき、ユーザＩＤごとにフォルダを作成する必要がなく、外出先の接続環境に応じてコンテンツを選別し提供することができる。さらに、ユーザＩＤによらずにコンテンツを選別し提供することができるため、ユーザの成りすましによる不正なアクセスを防止することができる。
【００３１】
次に、図７ないし図９を参照して、本発明の第２の実施の形態のコンテンツ提供システムについて説明する。
【００３２】
図７は、本発明の第２の実施の形態のコンテンツ提供システムにおけるコンテンツ提供装置の構成を説明するためのブロック図である。図８は、本発明の第２の実施の形態のコンテンツ提供システムの動作を説明するための流れ図である。図９は、本発明の第２の実施の形態のコンテンツ提供システムにおける提供フォルダを説明するための図である。
【００３３】
以下、本発明の第１の実施の形態との相違点について述べる。
【００３４】
まず、図７を参照すると、本発明の第２の実施の形態のコンテンツ提供装置５０は、制御手段５０１、受信手段５０２、送信手段５０３および記憶手段５０４を備え、制御手段５０１はさらに、提供フォルダ設定手段５０１ａ、コンテンツ提供種別取得手段５０１ｂおよび提供フォルダ変更手段５０１ｃとを備える。なお、制御手段５０１の各部の機能および動作については後述する。
【００３５】
まず、図８を参照して、端末２０からコンテンツ提供装置５０の記憶手段５０４に格納されているコンテンツにアクセスするときの流れを説明する。
【００３６】
あらかじめ、コンテンツ提供装置５０において、提供フォルダ設定手段５０１ａが提供フォルダを作成し、ユーザが外出先で使用する可能性があるコンテンツを格納しておく。このとき、図９に示されるように、当該コンテンツのそれぞれに対して、提供する範囲を示す提供種別を対応付けて格納しておく（ステップＳ６００）。
【００３７】
コンテンツ提供装置５０において、端末２０から接続環境情報を受信すると（ステップS６０７）、コンテンツ提供種別取得手段５０１ｂは、接続端末情報管理テーブルを参照して、受信した接続端末情報に対する提供種別を取得する（ステップＳ６０８）。
【００３８】
例えば、端末２０の接続端末情報がＭＡＣアドレス“ＹＹ−ＹＹ−ＹＹ−ＹＹ−ＹＹ−ＹＹ”であるとき、コンテンツ提供種別取得手段５０１ｂは接続端末情報管理テーブルを参照して提供種別“Ｂ”を取得する（図４参照）。
【００３９】
次に、提供フォルダ変更手段５０１ｃは、コンテンツ提供種別取得手段５０１ｂにより取得された提供種別に基づいて、提供フォルダの情報を変更する（ステップＳ６０９）。提供可能なコンテンツについてはコンテンツ名等の情報が表示されるように設定し、提供可能なコンテンツ以外は表示されないように設定する。これにより、図９に示されるように、提供フォルダは、提供種別“Ｂ”をもつ端末２０に対して提供可能なコンテンツの情報だけが表示された状態になる。
【００４０】
送信手段５０３は、提供フォルダにアクセスするための情報を端末２０に送信する（ステップＳ６１０）。端末２０は、提供フォルダにアクセスするための情報を受信すると（ステップＳ６１１）、提供フォルダにアクセスして提供フォルダを表示手段（不図示）に表示する。ユーザは、提供フォルダに表示された提供コンテンツの中から所望のコンテンツを選択してアクセスすることができる（ステップＳ６１２）。
【００４１】
このように、本発明の第２の実施の形態のコンテンツ提供システムによれば、通信ネットワークを介して、ユーザが外出先から自宅のパーソナルコンピュータにアクセスするときに、ユーザＩＤごとにフォルダを作成する必要がなく、外出先の接続環境に応じてコンテンツを選別し提供することができる。さらに、ユーザＩＤによらずにコンテンツを選別し提供することができるため、ユーザの成りすましによる不正なアクセスを防止することができる。また、ユーザが外出先において使用する可能性があるコンテンツをあらかじめ1つのフォルダにまとめて格納しておくため、ユーザは提供コンテンツの管理がしやすくなる。
【図面の簡単な説明】
【００４２】
【図１】本発明の実施の形態のコンテンツ提供システムの構成を説明するためのブロック図である。
【図２】本発明の第１の実施の形態のコンテンツ提供装置の構成を説明するためのブロック図である。
【図３】本発明の第１の実施の形態におけるコンテンツ提供システムの動作を説明するための流れ図である。
【図４】本発明の実施の形態における接続端末情報管理テーブルを説明するための図である。
【図５】本発明の第１の実施の形態における提供コンテンツ管理テーブルを説明するための図である。
【図６】本発明の第１の実施の形態における提供コンテンツ情報の表示内容を説明するための図である。
【図７】本発明の第２の実施の形態のコンテンツ提供装置の構成を説明するためのブロック図である。
【図８】本発明の第２の実施の形態におけるコンテンツ提供システムの動作を説明するための流れ図である。
【図９】本発明の第２の実施の形態における提供フォルダの表示内容を説明するための図である。
【符号の説明】
【００４３】
１０  コンテンツ提供装置
２０、３０  端末
１１、２１、３１  ルータ
４０  ネットワーク
１０１  制御手段
１０１ａ  提供コンテンツ決定手段
１０１ｂ  提供コンテンツ情報作成手段
１０２  受信手段
１０３  送信手段
１０４  記憶手段
５０  コンテンツ提供装置
５０１  制御手段
５０１ａ  提供フォルダ設定手段
５０１ｂ  コンテンツ提供種別取得手段
５０１ｃ  提供フォルダ変更手段
５０２  受信手段
５０３  送信手段
５０４  記憶手段
【図１】
2008305224.tif 000003
【図２】
2008305224.tif 000004
【図３】
2008305224.tif 000005
【図４】
2008305224.tif 000006
【図５】
2008305224.tif 000007
【図６】
2008305224.tif 000008
【図７】
2008305224.tif 000009
【図８】
2008305224.tif 000010
【図９】
2008305224.tif 000011